(57)【要約】【課題】治療時の患者の利便性と患者の導入および退出のしやすさとを両立させたコンターシートの側面に肘掛けが取り付けられた歯科用治療椅子を提供する。【解決手段】患者の臀部を支持するコンターシート１２０と、患者の背中を支持する起倒自在なバックレスト１３０と、コンターシート１２０に取り付けられ患者の前腕を支持する肘掛け１８０とを備えた歯科用治療椅子１００であって、肘掛け１８０が、前方および後方に伸縮自在である。【選択図】図２
2020099369.tif 000002
【特許請求の範囲】
【請求項１】
患者の臀部を支持するコンターシートと、前記患者の背中を支持する起倒自在なバックレストと、前記コンターシートに取り付けられ前記患者の前腕を支持する肘掛けとを備えた歯科用治療椅子であって、
前記肘掛けが、前方および後方に伸縮自在であることを特徴とする歯科用治療椅子。
【請求項２】
前記肘掛けが、前記コンターシートと連結される腕部材と、該腕部材と連結され前記患者の前腕を支持する肘掛け本体とを有し、
前記肘掛け本体が、鉛直下方に向かって回動自在であることを特徴とする請求項１に記載の歯科用治療椅子。
【請求項３】
前記肘掛けが、前記肘掛け本体の回動を規制する回動規制手段を有していることを特徴とする請求項２に記載の歯科用治療椅子。
【請求項４】
前記肘掛け本体を回動させる回動操作ボタンを備え、
前記回動操作ボタンへの操作により、前記肘掛け本体が鉛直下方に向かって回動することを特徴とする請求項２または３に記載の歯科用治療椅子。
【請求項５】
前記患者の着座を検知する座面センサーが、前記コンターシート内に設けられており、
前記コンターシートが、昇降自在であり、
前記バックレストが、起倒自在であり、
前記肘掛けが、前記肘掛け本体の伸縮を行う駆動モーターを有しており、
前記座面センサーが前記患者の着座を検知すると共に前記コンターシートまたは前記バックレストの少なくとも１つを動作させる椅子動作信号が入力された場合に、前記肘掛け本体の伸長が開始され、
前記コンターシートと前記バックレストの少なくとも２つを前記患者が着座する前の初期状態に戻す信号が入力された場合に、前記肘掛け本体の収縮が開始されることを特徴とする請求項１〜４のいずれか１項に記載の歯科用治療椅子。
【発明の詳細な説明】
【技術分野】
【０００１】
本発明は、歯科用治療椅子に関し、より詳しくは、患者の前腕を支持する肘掛けがコンターシートに取り付けられた歯科用治療椅子に関する。
【背景技術】
【０００２】
従来、歯科治療に用いられる歯科用治療椅子として、バックレストと座部とを備えた歯科用椅子が知られている（例えば、特許文献１）。
【０００３】
この歯科用椅子では、座部の側方に患者の腕部を支える一対のアームレストが設けられている。
この一対のアームレストのうち、患者の出入り側のアームレストは、その先端部が前方を向く略水平な状態となっている。
治療中、患者はこのアームレストに前腕を載せることで、リラックスした状態で治療を受けることが可能となっている。
【先行技術文献】
【特許文献】
【０００４】
【特許文献１】特許第６２６３２３８号公報
【発明の概要】
【発明が解決しようとする課題】
【０００５】
特許文献１に記載されている歯科用椅子では、患者を歯科用椅子に導入させたり、患者を歯科用椅子から退出させたりする際に、出入り側のアームレストがその妨げとなっていた。
そこで、アームレストを短くすることも考えられるが、アームレストを短くしてしまうと、患者の前腕を十分に支持することができず、患者にとって使い勝手の悪いものとなってしまう恐れがある。
【０００６】
本発明は、これらの実情に鑑みてなされたものであり、治療時の患者の利便性と患者の導入および退出のしやすさとを両立させたコンターシートの側面に肘掛けが取り付けられた歯科用治療椅子を提供することを目的とする。
【課題を解決するための手段】
【０００７】
上記課題を解決するために、請求項１の発明は、患者の臀部を支持するコンターシートと、前記患者の背中を支持する起倒自在なバックレストと、前記コンターシートに取り付けられ前記患者の前腕を支持する肘掛けとを備えた歯科用治療椅子であって、前記肘掛けが、前方および後方に伸縮自在であることを特徴とするものである。
なお、ここでいう「前方」とは、平面視において、バックレストから見てコンターシートが伸びている方向を意味し、「後方」とは、前方と反対の方向を意味する。
【０００８】
請求項２の発明は、請求項１の発明において、前記肘掛けが、前記コンターシートと連結される腕部材と、該腕部材と連結され前記患者の前腕を支持する肘掛け本体とを有し、前記肘掛け本体が、鉛直下方に向かって回動自在であることを特徴とするものである。
【０００９】
請求項３の発明は、請求項２の発明において、前記肘掛けが、前記肘掛け本体の回動を規制する回動規制手段を有していることを特徴とするものである。
【００１０】
請求項４の発明は、請求項２または３の発明において、前記肘掛け本体を回動させる回動操作ボタンを備え、前記回動操作ボタンへの操作により、前記肘掛け本体が鉛直下方に向かって回動することを特徴とするものである。
【００１１】
請求項５の発明は、請求項１〜４のいずれか１つの発明において、前記患者の着座を検知する座面センサーが、前記コンターシート内に設けられており、前記コンターシートが、昇降自在であり、前記バックレストが、起倒自在であり、前記肘掛けが、前記肘掛け本体の伸縮を行う駆動モーターを有しており、前記座面センサーが前記患者の着座を検知すると共に前記コンターシートまたは前記バックレストの少なくとも１つを動作させる椅子動作信号が入力された場合に、前記肘掛け本体の伸長が開始され、前記コンターシートと前記バックレストの少なくとも２つを前記患者が着座する前の初期状態に戻す信号が入力された場合に、前記肘掛け本体の収縮が開始されることを特徴とするものである。
【発明の効果】
【００１２】
本発明によれば、治療時の患者の利便性と患者の導入および退出のしやすさとを両立させたコンターシートの側面に肘掛けが取り付けられた歯科用治療椅子を提供することができる。
【図面の簡単な説明】
【００１３】
【図１】本発明の一実施形態に係る歯科用治療椅子の斜視図。
【図２】本発明の一実施形態に係る歯科用治療椅子の左側面図。
【図３】本発明の一実施形態に係る歯科用治療椅子の上昇時の動作フロー。
【図４】本発明の一実施形態に係る歯科用治療椅子の下降時の動作フローの一例。
【図５】本発明の一実施形態に係る歯科用治療椅子の初期状態を示す左側面図。
【図６】本発明の一実施形態に係る歯科用治療椅子の肘掛け本体を略水平まで回動させた状態を示す左側面図。
【発明を実施するための形態】
【００１４】
以下、図面を参照しながら、本発明の歯科用治療椅子に係る好適な実施形態について説明する。
なお、以下の説明において、異なる図面においても同じ符号を付した構成は同様のものであるとして、その説明を省略する場合がある。
【００１５】
＜１．歯科用治療椅子の概要＞
まず、本発明の一実施形態に係る歯科用治療椅子の斜視図である図１および本発明の一実施形態に係る歯科用治療椅子の左側面図である図２を用いて、本発明の一実施形態である歯科用治療椅子１００について説明する。
【００１６】
図１および図２に示すように、歯科用治療椅子１００は、床面Ｆに載置される下台１１０と、この下台１１０に載置され患者の臀部を支持するコンターシート１２０と、このコンターシート１２０の後端に連結され患者の背中を支持するバックレスト１３０と、このバックレスト１３０に連結され患者の頭部を支持するヘッドレスト１４０と、コンターシート１２０の前端に連結され患者のふくらはぎを支持するレッグレスト１５０と、このレッグレスト１５０の下端に連結され患者の足の足置きとなるフットレスト１６０とを備えている。
また、歯科用治療椅子１００は、コンターシート１２０の右側に患者がうがい等をする際に必要な水を供給するスピットン１７０も備えている。
【００１７】
下台１１０には、床下の給排水管と接続されており、圧縮空気源を内蔵している。
また、この下台１１０は、コンターシート１２０を動かす駆動機構（図示せず）を備えている。
これにより、コンターシート１２０は、上下に昇降自在となっている。
【００１８】
コンターシート１２０は、前後方向に伸びるシートであり、床面Ｆに対して略水平な状態から上下方向に回動自在となっている。
また、コンターシート１２０には、患者の着座を検出する座面センサー１２１が内部に設けられている。
【００１９】
バックレスト１３０は、コンターシート１２０に対する起立角度が調整自在になっている。
また、バックレスト１３０の左側部には、後述する肘掛け本体１８２を回動させる回動操作ボタン１３１が設けられている。
【００２０】
ヘッドレスト１４０は、バックレスト１３０に対する上下方向の位置が調整自在になっていると共にバックレスト１３０に対する起立角度が調整自在になっている。
【００２１】
レッグレスト１５０は、コンターシート１２０に対する角度が調整自在になっている。
【００２２】
フットレスト１６０は、レッグレスト１５０に対する角度が調整自在になっている。
【００２３】
スピットン１７０は、コンターシート１２０から所定距離だけ離間しており、この離間距離は後述する肘掛け本体１８２の左右方向の幅より大きくなっている。
【００２４】
＜２．肘掛け＞
歯科用治療椅子１００は、さらに、患者の前腕を支持する肘掛け１８０を備えている。
この肘掛け１８０は、コンターシート１２０の後方の両側面に取り付けられている。
具体的には、コンターシート１２０の左側面には左側肘掛け１８０Ｌが取り付けられており、コンターシート１２０の右側面に右側肘掛け１８０Ｒが取り付けられている。
左側肘掛け１８０Ｌと右側肘掛け１８０Ｒとは左右の違いのみであり、その他の事項については共通するため、以下、左側肘掛け１８０Ｌで肘掛け１８０の詳細について説明する。
【００２５】
肘掛け１８０は、コンターシート１２０と連結される腕部材１８１と、この腕部材１８１と連結され患者の前腕を支持する肘掛け本体１８２とを有している。
【００２６】
腕部材１８１は、左右方向に伸びると共に一端がコンターシート１２０に接続される水平部１８１ａと、鉛直方向に伸びると共に水平部１８１ａの他端に下端が接続される鉛直部１８１ｂを有しており、正面視においてＬ字状の部材である。
また、鉛直部１８１ｂの上端には、回動モーター１８１ｃが内蔵されている。
回動モーター１８１ｃの回動軸は、左右方向に伸びている。
【００２７】
肘掛け本体１８２は、回動モーター１８１ｃに軸支される基部１８２ａと、この基部１８２ａに収容される伸縮部１８２ｂと、この伸縮部１８２ｂを伸縮させる駆動モーター１８２ｃとを有している。
したがって、肘掛け本体１８２は、腕部材１８１に対して垂直面で回動自在となっている。
【００２８】
基部１８２ａは、角筒状であり、側面（左側肘掛け１８０Ｌであれば右側面、右側肘掛け１８０Ｒであれば左側面）で回動モーター１８１ｃと連結している。
また、基部１８２ａの内部には、肘掛け本体１８２の回動範囲を制限する回動範囲規制部材が設けられている。
これにより、肘掛け本体１８２は、腕部材１８１に対して水平方向から下方にのみ回動するようになっている。
【００２９】
伸縮部１８２ｂは、断面形状が基部１８２ａを相似縮小したものであり、角柱状の基部１８２ａに対して挿通自在となっている。
この伸縮部１８２ｂにはナット（図示せず）が内蔵されている。
【００３０】
駆動モーター１８２ｃは、基部１８２ａの後方に内蔵されている。
この駆動モーター１８２ｃの先端にはスライドネジ（図示せず）が取り付けられており、このスライドネジは伸縮部１８２ｂのナットと螺合している。
【００３１】
これにより、駆動モーター１８２ｃの回動により、スライドネジおよびナットを介して伸縮部１８２ｂが基部１８２ａに対して伸縮自在となっている。
伸縮部１８２ｂを基部１８２ａに対して最も収縮させた状態（最短状態）における基部１８２ａの後端から伸縮部１８２ｂの先端までの距離を最縮長さＬ１とし、伸縮部１８２ｂを基部１８２ａに対して最も伸張させた状態における基部１８２ａの後端から伸縮部１８２ｂの先端までの距離を最伸長さＬ２とすれば、最縮長さＬ１はコンターシート１２０の前後方向の長さである奥行きＤの半分より短く、最長長さＬ２はコンターシート１２０の奥行きＤの半分より長くなっている。
【００３２】
＜３．肘掛けの動作＞
次に図２〜図６に基づいて、歯科用治療椅子１００の肘掛け１８０の動きについて説明する。
図３は本発明の一実施形態に係る歯科用治療椅子の上昇時の動作フローであり、図４は本発明の一実施形態に係る歯科用治療椅子の下降時の動作フローであり、図５は本発明の一実施形態に係る歯科用治療椅子の初期状態を示す左側面図であり、図６は本発明の一実施形態に係る歯科用治療椅子の肘掛け本体を略水平まで回動させた状態を示す左側面図である。
【００３３】
＜３．１．患者導入時から治療開始時まで＞
まず、図３、図５および図６に基づいて、歯科用治療椅子１００に患者が座るまで、すなわち、患者導入時から歯科医師等による治療が開始されるまでの歯科用治療椅子１００の動きの一例について説明する。
【００３４】
図５に示すように、患者が歯科用治療椅子１００に座る前は、歯科用治療椅子１００は初期状態にあり、コンターシート１２０は床面Ｆに最接近する最下位位置まで下がっていると共に床面に対して略水平となっており、バックレスト１３０はコンターシート１２０に対して略直角となっている。
【００３５】
また、初期状態において、肘掛け１８０の肘掛け本体１８２の前後方向の長さは、最縮長さＬ１となっている。
加えて、肘掛け本体１８０の肘掛け本体１８２は、水平面から９０度下方に回転された状態、すなわち、鉛直下方を向いている。
肘掛け１８０の肘掛け本体１８２の前後方向の長さが最縮長さＬ１となっていることに加え、肘掛け本体１８２が鉛直下方を向いていることにより、コンターシート１２０の左側方における前後方向の開放領域（左側面視において、コンターシート１２０と肘掛け本体１８２が重複しない領域）を広く取れるため、患者が歯科用治療椅子１００の左側から歯科用治療椅子１００に対してアプローチしやすくなっている。
【００３６】
患者が歯科用治療椅子１００に着座すると、歯科医師等は治療を開始するため、治療に最適な高さ（治療位置）まで歯科用治療椅子１００の高さを変える指示を行う。
【００３７】
このときの歯科用治療椅子１００の動作について、図３のフローに基づいて説明する。
まず、歯科用治療椅子１００は、図３に示すように、座面センサー１２１が患者の着座を検知する（ステップＳ１００）。
座面センサー１２１が着座を検知しない場合はステップＳ１００に戻り、患者がコンターシート１２０に着座したか否かを判定し続ける。
【００３８】
座面センサー１２１が着座を検知した場合は、図６のように、肘掛け本体１８２を水平位置まで回転させる（ステップＳ１０１）。
【００３９】
次に、コンターシート１２０、バックレスト１３０、レッグレスト１５０、フットレスト１６０の少なくとも１つを動作させる信号（以下、椅子動作信号という）が、歯科用治療椅子１００に入力されたか否かを判定する（ステップＳ１０２）。
歯科用治療椅子１００が椅子動作信号を検知しない場合は、ステップＳ１０２に戻り、椅子動作信号が入力されたか否かを判定し続ける。
【００４０】
歯科用治療椅子１００が椅子動作信号を検知した場合は、椅子動作信号に応じたコンターシート１２０、バックレスト１３０、レッグレスト１５０、フットレスト１６０の動作を開始する（ステップＳ１０３）。
続いて、肘掛け１８０の肘掛け本体１８２の前後方向の長さが最伸長さＬ２になるまで、肘掛け本体１８２を伸長させる（ステップＳ１０４）。
そして、椅子動作信号に応じたコンターシート１２０、バックレスト１３０、レッグレスト１５０、フットレスト１６０の動作が完了する（ステップＳ１０５）。
その後、歯科医師等は治療等を行う。
【００４１】
このとき、患者の前腕が肘掛け本体１８２に載置されており、何らかの事情で、肘掛け本体１８２に過大な荷重がかかることが想定される。
しかし、回動モーター１８１ｃとして、例えばブレーキモーターを用いることにより、停止時に回動モーター１８１ｃの回動軸は回動しないようになっている。
すなわち、本発明の歯科用治療椅子１００では、肘掛け本体１８２に過大な荷重がかかったとしても、肘掛け本体１８２の腕部材１８１に対する回動が抑制されている。
よって、回動モーター１８１ｃは、本発明の回動規制手段に相当している。
【００４２】
＜３．２．治療終了時＞
次に、図４および図５に基づいて、歯科医師等による治療等が終了してから患者が歯科用治療椅子１００から退出するまでの歯科用治療椅子１００の動きの一例について説明する。
【００４３】
歯科医師等による治療等が終了すると、歯科医師等は、患者を歯科用治療椅子１００から退出させるために、歯科医師等は、歯科用治療椅子１００を図５のような初期状態に戻すための操作を行う。
【００４４】
このときの歯科用治療椅子１００の動作について、図４のフローに基づいて説明する。
まず、歯科用治療椅子１００は、歯科用治療椅子１００（すなわちコンターシート１２０）を初期状態まで戻す命令があったか否かを判定する（ステップＳ２００）。
歯科用治療椅子１００を初期状態まで戻す命令がなかった場合はステップＳ２００に戻り、歯科用治療椅子１００を初期状態まで戻す命令があったか否かを判定し続ける。
【００４５】
歯科用治療椅子１００を初期状態まで戻す命令があった場合、コンターシート１２０、バックレスト１３０、レッグレスト１５０、フットレスト１６０を初期状態となるように移動を開始すると共に肘掛け１８０の肘掛け本体１８２の収縮を開始する（ステップＳ２０１）。
【００４６】
続いて、肘掛け本体１８２が最縮長さＬ１まで収縮したか否かを判定する（ステップＳ２０２）。
肘掛け本体１８２が最縮長さＬ１まで収縮していない場合は、肘掛け本体１８２の収縮を継続する。
【００４７】
肘掛け本体１８２が最縮長さＬ１まで収縮した場合は、肘掛け本体１８２を下方に向けて９０度回転させる（ステップＳ２０３）。
これにより、肘掛け本体１８２が鉛直下方を向く。
【００４８】
したがって、歯科用治療椅子１００が初期状態まで戻ることで、肘掛け本体１８２が最も収縮した最短状態となり、コンターシート１２０の左側方における前後方向の開放領域を広く取れるため、患者が歯科用治療椅子１００の左側から退出しやすくなる。
【００４９】
＜４．作用効果＞
このように構成され動作する歯科用治療椅子１００は、肘掛け１８０が、前方および後方に伸縮自在であることにより、診察時には肘掛け１８０を伸ばして患者の前腕を広範囲に支持していたとしても、患者の導入時および退出時には肘掛け１８０を縮めることが可能となるため、治療時の患者の利便性と患者の導入および退出のしやすさを両立させることができる。
【００５０】
さらに、肘掛け本体１８２が、鉛直下方に向かって回動自在であることにより、歯科用治療椅子１００から退出する際に、肘掛け本体１８２を下げておけば、上半身の可動範囲が広くなるため、患者が歯科治療椅子１００から退出しやすくなる。
【００５１】
さらに、肘掛け１８０が、肘掛け本体１８２の回動を規制する回動規制手段である回動モーター１８１ｃを有していることにより、診察時に患者が肘掛け１８０に手を掛けて荷重をかけたとしても、この荷重による回動が規制されるため、診察時に肘掛け１８０が回動してしまうことを防ぐことができる。
【００５２】
さらに、回動操作ボタン１３１への操作により、肘掛け本体１８２が鉛直下方に向かって回動することにより、回動操作ボタン１３１への操作がないと肘掛け１８０が回動しなくなるため、患者に応じて肘掛け１８０を回動するかしないかを選択自在とすることができる。
【００５３】
さらに、座面センサー１２１が患者の着座を検知すると共にコンターシート１２０またはバックレスト１３０の少なくとも１つを動作させる椅子動作信号が入力された場合に、肘掛け本体１８２の伸長が開始され、コンターシート１２０とバックレスト１３０の少なくとも２つを患者が着座する前の初期状態に戻す信号が入力された場合に、肘掛け本体１８２の収縮が開始されることにより、肘掛け１８０の伸縮状態を椅子の高さや姿勢に応じたものに自動的に調整可能となるため、治療時の患者の利便性と患者の導入および退出のしやすさとをさらに両立させることができる。
【００５４】
＜変形例＞
以上、本発明を実施するための形態について説明したが、本発明は上記に限定されるものではない。
【００５５】
例えば、上記実施形態において、歯科用治療椅子はフットレストを備えていたが、フットレストを備えない歯科用治療椅子であってもよい。
【００５６】
例えば、上記実施形態において、回動操作ボタンはバックレストに取り付けられていたが、バックレスト以外の場所に取り付けられていてもよい。
【００５７】
例えば、上記実施形態において、肘掛けはコンターシートの後方の両側面に取り付けられていたが、コンターシートの後方の底面に取り付けられていてもよい。
【００５８】
例えば、上記実施形態において、左側肘掛けと右側肘掛けとは左右の違いのみであったが、スピットン側の右側肘掛けについては、伸縮のみであってもよい。
【００５９】
例えば、上記実施形態において、肘掛け本体における伸縮部の伸縮は、ネジの螺入によるものであったが、シリンダーによる伸縮であってもよい。
【００６０】
例えば、上記実施形態において、肘掛け本体における伸縮部の伸縮は、駆動モーターによるものであったが、手動で伸縮させてもよい。
【００６１】
例えば、上記実施形態において、治療位置まで上昇させる指示があった場合に、肘掛け本体を最伸長さまで伸長させていたが、肘掛け本体が最短状態よりも伸長した伸長状態となれば、肘掛け本体を最伸長さより短く伸長させてもよい。
【００６２】
例えば、上記実施形態において、治療位置まで上昇させる指示があった場合に、肘掛け本体を最伸長さまで伸長させていたが、肘掛け本体を最伸長さまで伸長させる伸長高さは治療位置以外の高さであってもよい。
【００６３】
例えば、上記実施形態において、最下位位置まで下降させる指示があった場合に、肘掛け本体を最縮長さまで収縮させていたが、肘掛け本体を最縮長さまで収縮させる収縮高さは最下位位置以外の高さであってもよい。
【００６４】
例えば、上記実施形態において、ステップＳ２０３において、バックレスト１３０が水平面に対して略垂直であるか否かを判定していたが、バックレストが水平面に対して所定の起立角度以上起立しているか否かを判定してもよい。
【００６５】
例えば、上記実施形態において、肘掛け本体を鉛直下方に向けて９０度回転させていたが、回転角度はこれに限定されるものではない。
【符号の説明】
【００６６】
１００  ・・・  歯科用治療椅子
１１０  ・・・  下台
１２０  ・・・  コンターシート
１２１  ・・・  座面センサー
１３０  ・・・  バックレスト
１３１  ・・・  回動操作ボタン
１４０  ・・・  ヘッドレスト
１５０  ・・・  レッグレスト
１６０  ・・・  フットレスト
１７０  ・・・  スピットン
１８０  ・・・  肘掛け
１８０Ｌ・・・  左側肘掛け
１８０Ｒ・・・  右側肘掛け
１８１  ・・・  腕部材
１８１ａ・・・  水平部
１８１ｂ・・・  鉛直部
１８１ｃ・・・  回動モーター（回動規制手段）
１８２  ・・・  肘掛け本体
１８２ａ・・・  基部
１８２ｂ・・・  伸縮部
１８２ｃ・・・  駆動モーター
Ｆ    ・・・  床面
Ｌ１  ・・・  最縮長さ
Ｌ２  ・・・  最伸長さ
Ｄ    ・・・  コンターシートの奥行き
【図１】
2020099369.tif 000003
【図２】
2020099369.tif 000004
【図３】
2020099369.tif 000005
【図４】
2020099369.tif 000006
【図５】
2020099369.tif 000007
【図６】
2020099369.tif 000008